(57)【要約】【課題】  より確実に虫を捕獲できる簡便な捕虫器を提供する。【解決手段】  水に対して産卵された卵を成虫として逃さない捕虫器１であって、開口部１１を有し水を蓄えるための容器１０と、容器１０の水面Ｓに浮揚できると共に産卵が可能であるが成虫の通過を阻止する孔を有するフィルタ部２０と、容器１０とフィルタ部２０とを結びがつ容器１０の内壁とフィルタ部２０との隙間Ｃからの成虫の通過を阻止する通過阻止部３０と、を備える。【選択図】図１
2008307037.tif 000002
【特許請求の範囲】
【請求項１】
水に対して産卵された卵を成虫として逃さない捕虫器であって、
開口部を有し氷を蓄えるための容器と、
前記容器の水面に浮揚できると共に、産卵が可能であるが成虫の通過を阻止する孔を有するフィルタ部と、
前記容器と前記フィルタ部とを結びかつ前記容器の内壁と前記フィルタ部との隙間からの成虫の通過を阻止する通過阻止部と、を備えた捕虫器。
【請求項２】
開口部を有する容器に取り付ける捕虫機構であって、
前記開口部又は前記容器の内面に固定される仕切部であって、フィルタ部と通過阻止部を有し、前記内面と前記仕切部とにより前記容器内に閉空間が画成される仕切部を具備し、
前記フィルタ部は、前記容器内の水面に浮揚できると共に産卵が可能であるが成虫の通過を阻止する孔を有し、
前記通過阻止部は、前記フィルタ部の周端部と前記内面の間に延在すると共に成虫の通過を阻止する捕虫機構を有する捕虫器。
【請求項３】
前記通過阻止部が変形可能な部材により形成された請求項１又は請求項２に記載の捕虫器。
【請求項４】
前記フィルタ部がネットと当該ネットを浮揚させる浮きとにより形成された請求項１から請求項３のいずれか一項に記載の捕虫器。
【請求項５】
前記通過阻止部が、前記フィルタ部から前記開口部に向かって延在した部材により支持された請求項１から請求項４のいずれか一項に記載の捕虫器。
【請求項６】
前記通過阻止部が、蛇腹形状を有する請求項３から請求項５のいずれか一項に記載の捕虫器。
【請求項７】
前記通過阻止部が、水の透過性を有する部材により形成された請求項３から請求項６のいずれか一項に記載の捕虫器。
【発明の詳細な説明】
【技術分野】
【０００１】  本発明は捕虫器に関する。
【背景技術】
【０００２】  近年、地球温暖化に伴い、病原体を媒介する蚊などの飛翔虫の駆除が急務となっている。その駆除の一つの仕方として、ボウフラ等の幼生期を水中で過ごす虫の発生を抑える方法がある。一般にこの方法として、殺虫剤、ホルモン剤、油、界面活性剤などの薬剤をボウフラ等の発生地に散布する方法や、発生場所の水面にネットを張ったり、ネットが固定された浮きを容器の中を摺動させたりするなどの自滅トラップの捕虫器による方法が知られている（例えば非特許文献１、非特許文献２）。【０００３】  しかし薬剤を散布する方法は、薬剤のコスト等の問題がある。一方、自滅トラップの捕虫器による方法は、虫の習性をうまく利用しているので、薬剤のように散布を繰り返してコスト上昇を招くといった問題がない。
【非特許文献１】池庄司敏明著、「蚊」、東京大学出版会、１９９３年
【非特許文献２】Ｍｏｓｑｕｉｔｏ  ｅｃｏｌｏｇｙ：ｆｉｅｌｄ  ｓａｍｐｌｉｎｇ  ｍｅｔｈｏｄｓ／Ｍ．Ｗ．Ｓｅｒｖｉｃｅ．２ｎｄｅｄ．Ｃｈａｐｍａｎ  ＆  Ｈａｌｌ，１９９５．（４８ページ、５３ページ）
【発明の開示】
【発明が解決しようとする課題】
【０００４】  しかしながら、ネットが固定された浮きを摺動させる自滅トラップの捕虫器は、水を蓄えた容器が傾いて水面が傾いた場合は、容器の内壁と浮きとの間に隙間ができ、そこから成虫が逃げ出したり、捕虫器が倒れた場合は、ネットがはずれ幼虫などが大量に逃げ出したりしてしまうという問題があった。そこで確実に虫を捕獲できるようにするため、野外等で捕虫器を設置する場合には、捕虫器を水平に保ちかつ倒れないように固定する必要があり、捕虫器を設置させる場所を容易に変えることができなかった。【０００５】  また上記の捕虫器は、ネットが浮きに固定されているため水面の変化に対して追随できるが、容器の内壁と浮きとの境界部に、落ち葉や泥などのゴミ・埃がたまったり、容器の内壁にカビやコケ等による汚れが発生したりして、浮きの動きがスムーズでなくなったり、浮きが動かなくなったりする。そのため、水面の変化に対して追随できなくなり、捕獲効果がなくなってしまうという問題があった。例えば水が蒸発しネットが水面より高くなると産卵がされにくくなり、逆にネットが水面に沈んでいると羽化した成虫が逃げ出してしまう。【０００６】  また作製上、虫が逃げ出さないようにするために容器の内壁と浮きとの隙間をなくし、かつ容器の内壁と浮きとがスムーズに摺動できるようにする必要があった。そのため、製作する上での手間やコストの問題があった。【０００７】  本発明は、従来の問題を解決するためになされたものであり、より確実に虫を捕獲できる簡便な捕虫器を提供することを目的とする。
【課題を解決するための手段】
【０００８】  上記課題を解決するため、本発明の捕虫器は、  水に対して産卵された卵を成虫として逃さない捕虫器であって、開口部を有し水を蓄えるための容器と、前記容器の水面に浮揚できると共に、産卵が可能であるが成虫の通過を阻止する孔を有するフィルタ部と、前記容器と前記フィルタ部とを結びかつ前記容器の内壁と前記フィルタ部との隙間からの成虫の通過を阻止する通過阻止部と、を備える。【０００９】  また、本発明の捕虫器は、開口部を有する容器に取り付ける捕虫機構であって、前記開口部又は前記容器の内面に固定される仕切部であって、フィルタ部と通過阻止部を有し、前記内面と前記仕切部とにより前記容器内に閉空間が画成される仕切部を具備し、前記フィルタ部は、前記容器内の水面に浮揚できると共に産卵が可能であるが成虫の通過を阻止する孔を有し、前記通過阻止部は、前記フィルタ部の周端部と前記内面の間に延在すると共に成虫の通過を阻止する捕虫機構を有する。【００１０】  また、本発明の捕虫器においては、前記通過阻止部が変形可能な部材により形成されるようにしもよい。【００１１】  また、本発明の捕虫器においては、前記フィルタ部がネットと当該ネットを浮揚させる浮きとにより形成されるようにしてもよい。【００１２】  また、本発明の捕虫器においては、前記通過阻止部が、前記フィルタ部から前記開口部に向かって延在した部材により支持されるようにしてもよい。【００１３】  また、本発明の捕虫器においては、前記通過阻止部が、蛇腹形状を有するようにしてもよい。【００１４】  また、本発明の捕虫器においては、前記通過阻止部が、水の透過性を有する部材により形成されるようにしてもよい。
【発明の効果】
【００１５】  本発明によれば、容器とフィルタ部とを結びかつ容器の内壁とフィルタ部との隙間からの成虫の通過を阻止する通過阻止部を備えることで、簡便な構成により、容器が傾いたり倒れたりしても成虫が外へ逃げ出すことができず、より確実に虫を捕獲できる。
【発明を実施するための最良の形態】
【００１６】  以下、本発明の実施の形態について図面に基づいて説明する。【００１７】  （第１実施形態）
図１及び図２は本発明の第１実施形態に係る捕虫器を示す斜視図及び縦断面図である。図１に示すように捕虫器１は、水を蓄えるための容器１０と、容器１０の水面に浮揚できるフィルタ部２０と、容器１０の内壁とフィルタ部２０との隙間からの成虫の通過を阻止する通過阻止部３０と、を備え、水に対して産卵された卵を成虫として逃さないようになっている。ここで、水に対して産卵された卵とは、幼虫が育つ水に向かって産卵しに来た成虫が産卵した卵であり、水に直接産卵された卵の他に、水の近傍の産卵場所に産卵された卵も含む。【００１８】  容器１０は、図中上方に開口した開口部１１と側壁に排水口１２とを有し、開口部１１の方から雨水が入り、一定以上の雨水を排水口１２から排水できるようになっている。排水口１２にはネットが張られ、排水時に幼虫が逃げ出せないようになっている。なお開口部１１は、容器１０の端部の他に容器１０の内と外とを分ける境界部を含む。【００１９】  フィルタ部２０は、容器１０内の水面に浮揚できると共に産卵が可能であるが成虫の通過を阻止する孔を有している。つまりフィルタ部２０は、ネット２１とネット２１の周りを取り囲むように形成された浮き２２とを有し、図２に示すようにネット２１が水面Ｓに位置して浮揚するようになって、容器１０の水面の一部を覆うようになっている。【００２０】  そしてネット２１は、卵や卵から孵ったばかりの幼虫が通過できる程度のメッシュを有し、水からの成虫の通過を阻止するようになって、フィルタ部２０において、産卵が可能であるが成虫の通過を阻止する孔を形成している。また浮き２２の外側が容器１０の内壁より小さく、容器１０の内壁とフィルタ部２０との隙間Ｃを形成できるようになっている。【００２１】  通過阻止部３０は、容器１０の開口部１１とフィルタ部２０の周端部である浮き２２の外側上部とを結び、隙間Ｃからの成虫の通過を阻止するようになっている。また通過阻止部３０は、フィルタ部２０の周端部と容器１０の内面の間に延在すると共に成虫の通過を阻止するようになっている。すなわち、通過阻止部３０によって規定される仮想面は、フィルタ部２０の外周面と容器１０の内面の間隙に接する水面Ｓを外方空間Ａから遮断することができる。したがって、前記仮想面、フィルタ部２０の外周面、容器１０の内面、水面Ｓによって閉じた閉空間Ｂを画成することができる。その結果、フィルタ部２０の内方面（水側）、通過阻止部３０によって規定される仮想面、容器１０の内面によって画成される閉じた領域（ほぼＷ＋Ｂ）に成虫が閉じこめられるので、成虫は外方空間Ａに抜け出すことはできない。【００２２】  そして通過阻止部３０は、蛇腹形状になっていて変形可能な部材により形成され、水面Ｓの変動に対して追随できるようになっている。【００２３】  次に形状等について詳細に説明する。【００２４】  容器１０は、底を有し上方に開口した円筒形状で、プラスチック製である。容器１０の径が１４ｃｍで、高さが１６ｃｍである。なお、横断面の形状は円に限らず、例えば楕円形や三角形や四角形でもよく、また底に対して垂直方向に形状や大きさが一定でなくてもよい。また材質は耐水性があればよいので、プラスチック製に限らず、ステンレスや���ルミニウム等の金属でもよい。【００２５】  ネット２１は、円形状になっていて、ポリプロピレン製で１インチ当たり２４メッシュの防虫ネットである。ネット２１の径は９ｃｍである。なお、ネット２１の形状は円形状に限らず、容器１０の水面を一定以上覆う面積があればよい。ネット２１は飛翔虫が産卵でき又はネットの壁面等に産卵された卵から孵った幼虫が水面に入ることができる面積を少なくとも有すればよい。またネットの材質はナイロン製やポリエステル製や金属製等でもよく、水により強度が落ちたり錆びたりしなければよい。【００２６】  浮き２２は、円環状で、外径が容器１０の内壁の径よりも小さくなっている。浮き２２の外径は１１ｃｍ、内径は９ｃｍ、厚さは４ｃｍである。浮き２２の材質は発泡スチロール製で、ネット２１が浮き２２の間に挟み込まれるように接着剤により固定されている。この浮き２２の浮力で、ネット２１がほぼ容器１０の水面Ｓに位置決めされる。水面Ｓの高さが変わると、その変化に応じてネット２１が追随できるようになっている。ここで図２に示すように、浮き２２の上面は、ほぼ全面に亘り内径部分の角が面取りしてある。これは、雨水がネット２１の方に流れ落ちることにより、浮き２２の上面の一部に水がたまってネット２１が傾くのを防止するためである。【００２７】  なお浮き２２の形状は、円環状に限られず、容器１０の形状に合わせ、容器１０の内壁との間に隙間Ｃが形成される形状であればよい。隙間Ｃは一定になるようにする必要なない。また隙間Ｃは浮き２２の全周に亘って形成されている必要なく一部接してもよい。フィルタ部２０が水面Ｓの上下動に従い支障なくフィルタ部２０ができればよい。つまり砂や埃等に対して頑健性を有するように隙間Ｃが形成されていればよい。
また浮き２２の材質は、発泡スチロールに限られず、塩化ビニールでも木製でもよい。また浮き２２は浮き袋のような方式でもよく、ネット自体に浮力を持たせてもよい。【００２８】  通過阻止部３０は、径の大きさが容器１０の開口部１１から浮き２２に向かって小さくなる円形の蛇腹形状をしているゴム製である。容器１０の水面Ｓが低い場合は、図２（Ａ）に示すように、通過阻止部３０が伸びているが、水面Ｓが上昇するに従い（図２（Ｂ）、図２（Ｃ））、通過阻止部３０の蛇腹が折りたたまれ、縮むようになっている。【００２９】  また容器１０が傾いて水面Ｓが傾いても、容器１０に対して水面が上昇する側の通過阻止部３０は縮み、容器１０に対して水面が降下する側の通過阻止部３０は伸びることで、ネット２１の面が水面Ｓに位置決めされるようになっている。【００３０】  通過阻止部３０の形状は、蛇腹カメラのように四角でもよい。この場合は、容器１０の形状を四角柱状にしてもよいし、円筒形状のままでもよい。つまり容器１０の横断面形状、浮き２２の横断面形状や通過阻止部３０の横断面形状は、水面Ｓの上下変動に従い、浮き２２がスムーズに追随できるようになっていればよい。【００３１】  なお通過阻止部３０の材質は、プラスチックでも防水性の紙や布でもよく、ゴムに限定されず、容器１０の底面から開口部１１に向かう軸方向に伸縮できればよい。【００３２】  次に捕虫器１の使用方法等を説明する。【００３３】  まず容器１０に小麦粉と水とを入れる。小麦粉の代わりにパン屑や落ち葉やグルタミン酸等の養分を含む溶液でもかまわない。水に対して産卵しにくる蚊は、産卵する前にグルタミン酸が水に含まれる否かを確認しているといわれている。水に加える養分は虫の種類によって変えてもよい。なお小麦粉や液体の養分の場合、後からネット２１を通して粉を追加しやすい。また小麦粉等を加えずに自然な雨水などの水だけでもよい。【００３４】  次に、成虫が産卵するために集まりやすいところに捕虫器１を設置する。例えば庭の隅等の薄暗いところが好ましい。容器１０から水Ｗが蒸発して水面Ｓが低下するので、できれば雨が当たるところがよい。水が少なくなれば、容器１０の開口部１１から追加してもよい。【００３５】  小麦粉の場合は、２、３日経過して腐り始めると小麦粉のグルテンがグルタミン酸に変わり、蚊を引き寄せる臭いも発する。イエカの仲間は水面に卵を産卵し、卵が集まった舟形状の卵舟を形成する。ネット２１の上に長さ１ｃｍほどの黒色の卵舟がいくつも観察された。シマカの仲間の場合は、水面の近くの壁面等に卵を産卵する。【００３６】  卵から幼虫が孵るとネット２１を通して容器１０の水中に幼虫が入っていく。容器１０の中に、ネット２１を通して呼吸をしているのを観察できた。ボウフラが成長して羽化する段階になると、ネット２１付近で羽化した蚊は水中で溺れ、隙間Ｃで羽化した蚊は通過阻止部３０があるため容器１０から外、すなわち閉空間Ｂから外方空間Ａに出られない。【００３７】  雨が降ると、雨水がネット２１を通して容器１０の中に入り、水面Ｓが上昇する。水面Ｓの上昇に伴って浮き２２の浮力でネット２１も上昇する。降雨量が多い場合は、排水口１２から水が溢れ出す。排水口１２には���の細かいネットが張ってあるため、ボウフラが逃げ出せない。【００３８】  容器１０の水Ｗが蒸発すると、水面Ｓが降下するため、フィルタ部２０の自重によりネット２１も下降する。なおフィルタ部２０に錘をつけてもよい。特にフィルタ部２０の下側に錘をつけるとフィルタ部２０の位置が安定する。【００３９】  本実施形態の捕虫器１によれば、容器１０とフィルタ部２０の浮き２２とを結びかつ容器１０の内壁と浮き２２との隙間Ｃからの成虫の通過を阻止する通過阻止部３０を備えることで、容器１０が傾いたり倒れたりしても成虫が外へ逃げ出すことができず、より確実に虫を捕獲できる。また、容器１０の内壁とフィルタ部２０との隙間Ｃがあることにより、ネット２１と浮き２２とにより形成されたフィルタ部２０が水面Ｓの変化に追随しやすく、埃や容器１０の内壁の汚れなどに対しても頑健になり、さらに容器１０が傾いてもフィルタ部２０が水面Ｓに対して水平を維持できる。すなわちネット２１が常に水面Ｓ上にあるので、蚊などが産卵しやすく、より多くの蚊の発生を防止できる。【００４０】  通過阻止部３０が蛇腹形状で変形性を有しているので、フィルタ部２０が水面Ｓの変化に追随しやすくなる。さらに通過阻止部３０が蛇腹状であるので、通過阻止部３０の一部が水面Ｓに沈んだり、通過阻止部３０に雨水がたまったりして、そこで虫が繁殖することを防止することができる。【００４１】  本実施形態の捕虫器１は、隙間Ｃを形成することにより埃等があったり容器１０が傾いたりしてもフィルタ部２０がスムーズに水面Ｓの変化に追随でき、通過阻止部３０をさらに備えることにより幼虫が羽化して逃げ出すことを防止しているので、隙間Ｃの形成して通過阻止部３０を付加することで、捕虫器１を容易に製造できる。つまり容器１０の内壁やフィルタ部２０に汚れ防止や摺動しやすいように表面を特殊加工しなくても、容器１０やフィルタ部２０の形状や寸法が厳密でなくてもよいので、捕虫器１は低コストで製造しやすい。【００４２】  また汚れに強いので清掃の手間が省け、適度に雨が降れば水を加える必要もないため、一度セットすれば、ほぼメンテナンスが不要となる。そして捕虫器１の移動や設置も簡便であり使いやすい。さらに殺虫剤等の薬剤が不要なため、薬剤のように散布し続けることがなく、蚊等の伝染病を媒介する虫の数を減らすことができる。【００４３】  なお図３に示すように蛇腹の径の大きさが一定の蛇腹３１を有する捕虫器２でもよい。この場合は、容器１０の開口部１１から円環状の部材１３を設ける。この部材１３から浮き２１まで蛇腹３１を設ける。蛇腹３１の径の大きさが一定のため、蛇腹３１の製作が容易である。【００４４】  なお、捕虫器をフィルタ部２０と通過阻止部３０とを有する捕虫機構により実現してもよい。つまり、開口部１１を有する容器１０に取り付ける捕虫機構は、開口部１１又は容器１０の内面に固定される仕切部４０であって、フィルタ部２０と通過阻止部３０を有し、容器１０の内面と仕切部４０とにより容器１０内に閉空間Ｂが画成される仕切部４０を具備している。この捕虫機構を接着剤等により容器１０に固定する。また、容器１０に脱着しやすいように、通過阻止部３０の周りに容器１０との接合部を��けてもよい。例えば接合部を、柔軟なネットを利用して容器１０の開口部１１に被せるようにしてもよい。接合部と開口部との固定は、ゴム紐等の弾性力がある素材や紐等で行ってもよい。【００４５】  （第２実施形態）
次に本発明の第２実施形態について図面に基づいて説明する。図４（Ａ）は、第２実施形態に係る捕虫器の斜視図であり、通過阻止部が蛇腹形状でない一例を示している。なお、以下に説明する本実施形態において上述の第１実施形態における捕虫器と同一又は類似する構成については、図１から図３と同一の参照符号を付して簡単に説明し、相違点について詳述する。【００４６】  図４（Ａ）に示すように捕虫器３は、容器１０と、フィルタ部２０と、通過阻止部３５と、を備えている。そしてフィルタ部２０と通過阻止部３５とが、フィルタ部２０の周端部から開口部１１に向かって延在した部材である中筒５０を介して結ばれている。つまり通過阻止部３５が、フィルタ部２０から開口部１１に向かって延在した部材でである中筒５０により支持されている。【００４７】  通過阻止部３５は、図４（Ａ）や図５に示すようにシート状で変形性を有している。そして通過阻止部３５は、容器１０の開口部１１とフィルタ部２０の周端部である浮き２２の外側上部とを中筒５０を介して結び、隙間Ｃからの成虫の通過を阻止するようになっている。また通過阻止部３５は、フィルタ部２０の周端部と容器１０の内面の間に延在すると共に成虫の通過を阻止するようになっている。【００４８】  中筒５０は、図４（Ｂ）に示すようにフィルタ部２０の浮き２１の周端部から開口部１１の側に向かって延在しており、中筒５０の中に浮き２１がはめ込まれて浮き２１を固定している。図４（Ａ）や図５に示したように中筒５０の上端部に通過阻止部３５の一端が固定され、通過阻止部３５の他端が開口部１１に固定されている。【００４９】  通過阻止部３５と中筒５０によって規定される仮想面は、フィルタ部２０の外周面と容器１０の内面の間隙に接する水面Ｓを外方空間Ａから遮断することができる。したがって、前記仮想面、フィルタ部２０の外周面、容器１０の内面、水面Ｓによって閉じた閉空間Ｂを画成することができる。その結果第１実施形態と同様に成虫は外方空間Ａに抜け出すことはできない。【００５０】  次に形状、材質等を説明する。【００５１】  通過阻止部３５は、綿のガーゼで形成した。綿のガーゼは柔軟性に富み、変形性、可撓性が高く、水面Ｓの上下動や傾きに対して、フィルタ部２０が追随しやすくなっている。また、綿のガーゼは水を透過できる素材であるため、雨が容器１０の中に降り注いでも、通過阻止部３５に水がたまらないようになっている。また図５（Ｂ）に示すように水位が中程度である状態で、通過阻止部３５が少したわむような形状及び寸法にしてあり、容器１０の水位が低い状態（図５（Ａ））で通過阻止部３５がたわみ水面Ｓに水没しないようになっている。なお通過阻止部３５の素材は、綿のガーゼに限定されず、柔軟性が高く水を透過できる素材であるならばよい。【００５２】  中筒５０は、直径１１ｃｍ、高さは１２ｃｍの円筒形状で、プラスチック製である。材質はプラスチックに限られず、軽い材質で耐水性があればよい。形状も円筒形に限らず、フィルタ部２０や容器１０の形状に合わせて、隙間Ｃが生じる形状ならばよい。中筒５０の高さに関して、フィルタ部２０の上下動の範囲で通過阻止部３５がたわんで水面Ｓに接しないような高さを中筒５０は���すればよい。また円筒形状の代わりに、ポールをフィルタ部２０に立てて、通過阻止部３５であるシートを持ち上げる構造でもよい。この場合、通過阻止部３５が直接フィルタ部２０に結んで、シート状の通過阻止部３５を持ち上がるように支持してもよい。つまり水面Ｓから離れるように、中筒５０が延在する方向に通過阻止部３５を支持している。【００５３】  次に図５に基づいて、本実施形態の捕虫器３の動作を説明する。なお捕虫器３の使用方法は、捕虫器１と同じであるので、詳細は省略する。【００５４】  図５（Ａ）は水位が低い状態、図５（Ｂ）は水位が中程度である状態、図５（Ｃ）は水位が高い状態をそれぞれ示す縦断面図である。図５（Ａ）に示すように水位が低い状態では、通過阻止部３５は、開口部１１と中筒５０の上端部を線で結ぶようにすり逆円錐形状に似た形状になっている。容器の１０の水面Ｓが上昇するに従い、図５（Ｂ）に示すように通過阻止部３５がたわんだ状態になる。この状態で雨が降ると、水がたまりやすい形になるが、通過阻止部３５は水を透過できるので、ガーゼの網目を通して水が容器１０の中に入っていく。さらに水面が上昇し図５（Ｃ）に示すような状態になると、中筒５０は開口部１１より競りあがり、通過阻止部３５は、円錐台形状に似た形状になる。図示しない排水口があるのでこれ以上中筒５０は持ち上がらない。【００５５】  本実施形態の捕虫器３によれば、第１実施形態における蛇腹状の通過阻止部３０、３１の代わりに、通過阻止部３５と中筒５０とにより、第１実施形態と同様な効果を発揮することができる。【００５６】  容器１０の水位が低い状態（図５（Ａ））から水位が高い状態（図５（Ｃ））に移るに従い中筒５０が上に持ち上げられようとしても、通過阻止部３５は変形可能な部材で形成されているため、フィルタ部２０がスムーズに上昇でき、中筒５０を有することで通過阻止部３５の一部が水面に沈むことを防止できる。通過阻止部３５がもし水が透過できない素材であると、水が通過阻止部３５にたまった場合、水の重みによりフィルタ部２０の浮力が弱くなる。通過阻止部３５が水を透過できる素材であると、雨水等が通過阻止部の上にたまることを防止できる。【００５７】  なお第１実施形態のように、捕虫器をフィルタ部２０と通過阻止部３５とを有する捕虫機構により実現してもよい。この場合、仕切部４５が、フィルタ部２０と通過阻止部３５と中筒５０とにより構成される。特に通過阻止部３５がガーゼ等の柔軟性を有する素材の場合、別途接合部を設けなくても、開口部との固定はゴム紐等の弾性力がある素材や紐等で行うことができる。また排水口１２を設けてもよい。【００５８】  （各変形例）
次に、上述した各実施形態の各変形例について説明する。なお、以下に説明する変形例において上述の第１及び第２実施形態における捕虫器と同一又は類似する構成については、図１から図５と同一の参照符号を付して簡単に説明し、相違点について詳述する。【００５９】  図６（Ａ）は、雨水が通過阻止部３５に入らないようにした捕虫器を示す断面図である。特に第２実施形態についての変形例である。図６（Ａ）に示すように捕虫器４は、第２実施形態の捕虫器３と同様に、容器１０と、フィルタ部２０と、通過阻止部３５と、を備え、加えて容器１０の開口部１１にカバー１５を有している。【００６０】  カバー１５は、中筒５０が水位に従って上下動しても妨げないような構造で、開口部１１に脱着可能になっている。カバー１５の開いた中央部分から雨水や成虫が入ってくるようになっている。カバー１５の形状は、開口部から上方に円筒形状に延在し、中筒５０が最大に上がる高さより高いところから内側に円環形状になり、この円環の内径部分からやや逆円錐形に下方に向かった形状である。カバー１５の材質はプラスチック製であるが、浮き２２の浮力に直接影響しないので、軽量である必要はない。【００６１】  このカバー１５により、通過阻止部３５に落ち葉等の異物が入らなくなり、メンテナンスがより容易になる。また雨水がかからないので、通過阻止部３５がガーゼのようなメッシュ構造を有しなくてもよい。例えば、シート状のビニールでもよい。さらに水が蒸発しにくくなり、雨が少ないとき水の補給が少なくて済む。【００６２】  次に他の変形例の図６（Ｂ）は落ち葉等のゴミが容器１０に入らないようにした捕虫器を示す断面図である。図６（Ｂ）に示すように捕虫器５は、容器１０と、フィルタ部２０と、通過阻止部３０とを備え、さらに容器１０の開口部１１を覆う部材１６を有している。【００６３】  部材１６は開口部１１に脱着可能になっている。部材１６の上面部は断面形状が逆台形状で、底部１６ａがネットになっていて雨水が下に落ちるようなっている。この部材１６の側面には、孔１６ｂが開けられ、成虫が進入できるようになっている。蚊等は産卵場所の臭い等に引き寄せられるので、部材１６の側面の孔１６ｂから十分進入してくる。この部材１６により、落ち葉等のゴミが容器１０の中に入らないため、フィルタ部２０の上に堆積せず長期にわたってメンテナンスなしで使用できる。以上の各変形例は、第１実施形態の捕虫器１、２にも適用できる。【００６４】  なお、上述の各実施形態において浮き２２の配置場所は、ネット２１の中央部分に設置してもよく、本実施形態のように限定されない。また、ネット２１の代わりに、板状の部材に孔を設けてもよい。孔の大きさは、ネット２１の目の大きさとほぼ同じでよく、孵化したばかりの幼虫は入れるが、成虫が出られない大きさであればよい。この場合、水に浮かぶ部材を用いた場合、浮き２２を省略してもよい。また、別のネットを水中の方にさらに設け、２重にしてもよい。これにより幼虫が水面から空気を吸うのを防止でき、幼虫の繁殖を妨げることができる。【００６５】  また、容器１０の形状は水を蓄えることができればよいので、上述の各実施形態で示された形状に限られず、バケツ型、つ���り逆台形状でもよい。また容器１０の形状は、壷型や台形状でもよい。この場合、水の体積に比べ水面の面積が小さくなるので、水の蒸発の割合が少なくなり、水面の上下動が少なくなる。
【図面の簡単な説明】
【００６６】
【図１】本発明の第１実施形態に係る捕虫器の斜視図である。
【図２】第１実施形態の捕虫器の縦断面図であって、（Ａ）は水位が低い状態、（Ｂ）は水位が中程度である状態、（Ｃ）は水位が高い状態を示す縦断面図である。
【図３】第１実施形態における通過阻止部の変形例を示す縦断面図である。
【図４】（Ａ）本発明の第２実施形態に係る捕虫器の斜視図、及び（Ｂ）フィルタ部とこれから延在した部材とを示す斜視図である。
【図５】第２実施形態の捕虫器の縦断面図であって、（Ａ）は水位が低い状態、（Ｂ）は水位が中程度である状態、（Ｃ）は水位が高い状態を示す縦断面図である。
【図６】各変形例における捕虫器を示す縦断面図である。
【符号の説明】
【００６７】  １、３……捕虫器
１０……容器
１１……開口部
２０……フィルタ部
２１……ネット
２２……浮き
３０、３５……通過阻止部
４０、４５……仕切部
５０……中筒（延在した部材）
Ｃ……隙間
Ｓ……水面
【図１】
2008307037.tif 000003
【図２】
2008307037.tif 000004
【図３】
2008307037.tif 000005
【図４】
2008307037.tif 000006
【図５】
2008307037.tif 000007
【図６】
2008307037.tif 000008